(57)【要約】【課題】高性能化、小型化及び低コスト化を実現可能なインダクタ、トランス及びスイッチング電源を提供する。【解決手段】複数の磁脚を有するコアと、前記コアの両端部に形成された外磁脚と、前記外磁脚間に形成された内磁脚と、少なくとも前記外磁脚及び前記内磁脚の一部の面が露出するように前記コアに装着された絶縁ケースと、前記絶縁ケース上の前記コアの側面及び前記外磁脚と前記内磁脚との間の溝部底面を沿うように配置された平板状コイルとをインダクタの構成要素とする。【選択図】図１
2011181569.tif 000002
【特許請求の範囲】
【請求項１】
複数の磁脚を有するコアと、  
前記コアの両端部に形成された外磁脚と、
前記外磁脚間に形成された内磁脚と、
少なくとも前記外磁脚及び前記内磁脚の一部の面が露出するように前記コアに装着された絶縁ケースと、
前記絶縁ケース上の前記コアの側面及び前記外磁脚と前記内磁脚との間の溝部底面を沿うように配置された平板状コイルと、  
を備えることを特徴とするインダクタ。
【請求項２】
前記コア、前記絶縁ケース及び前記平板状コイルを複数組備え、
それぞれの組の前記外磁脚及び前記内磁脚の一部の面が露出する露出面が向かい合って組み合わされていることを特徴とする請求項１に記載のインダクタ。
【請求項３】
複数の前記平板状コイルの一端は、一方の前記外磁脚側の側面で接続し、複数の前記平板状コイルの他端は、他方の前記外磁脚側の側面で離間することを特徴とする請求項２に記載のインダクタ。
【請求項４】
請求項２または３に記載のインダクタを備え、
前記インダクタにおけるコアが組み合わされることで前記外磁脚と前記内磁脚との間に形成される空間を利用して１次コイルが巻回されており、前記インダクタにおける前記平板状コイルが２次コイルとして使用されることを特徴とするトランス。
【請求項５】
請求項４に記載のトランスと、
前記トランスの１次側に接続されたスイッチング回路と、
前記トランスの２次側に接続された整流回路と、
を備えることを特徴とするスイッチング電源。
【発明の詳細な説明】
【技術分野】
【０００１】
本発明は、インダクタ、トランス及びスイッチング電源に関する。
【背景技術】
【０００２】
近年では、車両の燃費性能及び環境保護性能を向上させる技術の１つとして、車両にエンジンとモータの２つの動力源を搭載し、走行状況に応じて両者を協調制御するハイブリッドシステムの導入が進んでいる。このハイブリッドシステムでは、モータを駆動する場合、高電圧バッテリから出力される直流電圧をインバータによって３相交流電圧に変換してモータに供給することが一般的である。
【０００３】
また、このハイブリッドシステムでは、インバータの入力側に設けられた平滑コンデンサにスイッチング電源を接続し、モータ駆動時に平滑コンデンサに蓄えられた高電圧電力を、スイッチング電源によって低電圧電力に変換して低電圧バッテリに蓄えることにより、エネルギー効率の向上及び感電事故の防止を図っている。
【０００４】
このように車両に搭載されるスイッチング電源には、高い信頼性に加えて高性能化、小型化及び低コスト化が要求されるため、従来から様々な改良技術が提案されている。例えば、スイッチング電源に用いられるトランスの構成に着目した改良技術として、下記特許文献１には、１次コイルと２次コイルとの間、及び１次コイルとコアとの間の絶縁距離を容易に確保可能なトランスの構成が開示されており、また、下記特許文献２には、良好な放熱特性を有するトランスの構成が開示されている。
【先行技術文献】
【特許文献】
【０００５】
【特許文献１】特開２００１−２６７１５２号公報
【特許文献２】特開２００４−３０３８２３号公報
【発明の概要】
【発明が解決しようとする課題】
【０００６】
上記特許文献１及び２に開示されたトランスの構成において共通することは、環状部とその内側に孔部を有する平板状の２次コイルを使用し、コアの内磁脚（主磁脚、又は軸芯部と同義）が２次コイルの孔部に貫通するように、コアと２次コイルとを絶縁部材を挟んで組み合わせている点である。このような構成を採用すると、以下のような課題が生じる。
【０００７】
（１）コアの側面において生じる漏れ磁束によって電圧変換効率が低下する（出力電圧が低下する）ため、高性能化が困難である。
（２）環形状の２次コイルを使用するため、トランス全体のサイズが大型化し、組み付け工数も増大する。
（３）２次コイルの孔部を打ち抜きによって形成する必要があるため、２次コイルの製造工程において無駄な端材が大量に発生し、コストの増加を招く。
【０００８】
本発明は、上述した事情に鑑みてなされたものであり、上記課題を解決し、高性能化、小型化及び低コスト化を実現可能なインダクタ、トランス及びスイッチング電源を提供することを目的とする。
【課題を解決するための手段】
【０００９】
上記課題を解決するために、本発明では、インダクタに係る第１の解決手段として、複数の磁脚を有するコアと、前記コアの両端部に形成された外磁脚と、前記外磁脚間に形成された内磁脚と、少なくとも前記外磁脚及び前記内磁脚の一部の面が露出するように前記コアに装着された絶縁ケースと、前記絶縁ケース上の前記コアの側面及び前記外磁脚と前記内磁脚との間の溝部底面を沿うように配置された平板状コイルとを備える、という手段を採用する。
このような構成のインダクタによると、コアの側面及び溝部の底面を沿うように平板状コイルを配置したため、コア側面において生じる漏れ磁束を低減できる。すなわち、本インダクタを用いてトランスを構成することで、漏れ磁束に起因する電圧変換効率の低下を抑制でき、トランスの高性能化が容易となる。
また、このような構成のインダクタによると、従来技術のような環形状の２次コイルを使用する場合と比べて、インダクタのサイズを小型化できる。すなわち、本インダクタを用いてトランスを構成することで、トランス全体のサイズを小型化でき、部品点数も減るため、組み付け工数も削減できる。
さらに、このような構成のインダクタによると、１本の連続した平板配線部材の折り曲げ加工によって平板状コイルを形成することができるようになるため、環形状の２次コイルを使用する場合と比べて、２次コイル（平板状コイル）の製造工程において発生する端材を低減でき、コストの削減を図ることができる。
【００１０】
また、本発明では、インダクタに係る第２の解決手段として、上記第１の解決手段において、前記コア、前記絶縁ケース及び前記平板状コイルを複数組備え、それぞれの組の前記外磁脚及び前記内磁脚の一部の面が露出する露出面が向かい合って組み合わされている、という手段を採用する。
このような構成のインダクタによると、コア、絶縁ケース及び平板状コイルのぞれぞれの成形用金型や成形用プログラムが１種類で足りることになり、イニシャルコストの削減が可能となる。
【００１１】
また、本発明では、インダクタに係る第３の解決手段として、上記第２の解決手段において、複数の前記平板状コイルの一端は、一方の前記外磁脚側の側面で接続し、複数の前記平板状コイルの他端は、他方の前記外磁脚側の側面で離間する、という手段を採用する。
このような構成のインダクタによると、スイッチング電源に組み付けが容易な構造のトランスを得ることが可能となる。
【００１２】
一方、本発明では、トランスに係る解決手段として、上記第２または第３の解決手段を採用するインダクタを備え、前記インダクタにおけるコアが組み合わされることで前記外磁脚と前記内磁脚との間に形成される空間を利用して１次コイルが巻回されており、前記インダクタにおける前記平板状コイルが２次コイルとして使用される、という手段を採用する。
これにより、高性能化、小型化及び低コスト化を実現したトランスを得ることが可能となる。
【００１３】
さらに、本発明では、スイッチング電源に係る解決手段として、上記解決手段を採用するトランスと、このトランスの１次側に接続されたスイッチング回路と、トランスの２次側に接続された整流回路とを備える、という手段を採用する。
これにより、高性能化、小型化及び低コスト化を実現したスイッチング電源を得ることが可能となる。
【発明の効果】
【００１４】
本発明によれば、高性能化、小型化及び低コスト化を実現したインダクタ、トランス及びスイッチング電源を提供することが可能となる。
【図面の簡単な説明】
【００１５】
【図１】本実施形態におけるインダクタ１の分解斜視図及び組立て後の斜視図である。
【図２】２つのインダクタ１を組み合わせて得られる合成インダクタの斜視図及びその等価回路図である。
【図３】図２に示す合成インダクタを２つ隣り合うように配置した状態を示す斜視図及びその等価回路図である。
【図４】本実施形態におけるトランス１００の分解斜視図、組立て後の斜視図及び等価回路図である。
【図５】本実施形態におけるスイッチング電源４００の回路構成図である。
【発明を実施するための形態】
【００１６】
以下、本発明の一実施形態について、図面を参照しながら説明する。
〔インダクタ〕
まず、本発明に係るインダクタの一実施形態について説明する。図１（ａ）は、本実施形態におけるインダクタ１の分解斜視図であり、図１（ｂ）は、組立て後におけるインダクタ１の斜視図である。これらの図に示すように、本実施形態におけるインダクタ１は、コア１０、絶縁ケース２０及び平板状コイル３０から構成されている。
【００１７】
コア１０は、例えば平面的に矩形をなすＥ字型のフェライトコアであり、長辺方向の両端部に突出するように形成された外磁脚１１及び１２と、これら外磁脚１１と１２との間の中間位置において並列的に突出するように形成された内磁脚１３とを有している。これら外磁脚１１、１２の頂上面１１ａ、１２ａと、内磁脚１３の頂上面１３ａは平面的に矩形をなし、互いに同一の高さとなるように寸法設定されている。
【００１８】
また、コア１０において、外磁脚１１と内磁脚１３との間には底面１４ａを有する溝部１４が形成され、外磁脚１２と内磁脚１３との間には底面１５ａを有する溝部１５が形成されている。なお、コア１０において、一方のＥ字形状の側面を１０ａ、他方のＥ字形状の側面を１０ｂ、一方の矩形状の側面を１０ｃ、他方の矩形状の側面を１０ｄ、各磁脚頂上面１１ａ、１２ａ及び１３ａに対して反対側の面（裏面）を１０ｅとする。
【００１９】
絶縁ケース２０は、コア１０の各磁脚頂上面１１ａ、１２ａ及び１３ａと裏面１０ｅとが露出し、その他の面が被覆されるように加工形成された絶縁部材である。つまり、この絶縁ケース２０には、コア１０の各磁脚頂上面１１ａ、１２ａ及び１３ａを露出させるための開口部２１、２２、２３と、裏面１０ｅを露出させるための開口部２４とが設けられている。このような絶縁ケース２０をコア１０に装着することで、コア１０の各磁脚頂上面１１ａ、１２ａ、１３ａ及び裏面１０ｅは外部に露出する一方、各溝部底面１４ａ、１５ａ及び各側面１０ａ、１０ｂ、１０ｃ、１０ｄを含む他の面は絶縁ケース２０によって被覆された状態となる（図１（ｂ）参照）。
【００２０】
平板状コイル３０は、コア１０の側面１０ａ、１０ｂ、１０ｄ及び溝部底面１４ａ、１５ａを沿うように折り曲げ加工によって形成された平板状配線部材（バスバー）である。つまり、この平板状コイル３０は、コア１０の側面１０ａを沿うように形成された導電路３１と、溝部底面１４ａ、１５ａを沿うように形成された導電路３２、３３と、側面１０ｂを沿うように形成された導電路３４、３５と、側面１０ｄを沿うように形成された導電路３６とを有している。
【００２１】
詳細には、導電路３１は、コア１０の側面１０ａにおいて溝部１４から１５までの区間を沿うように、コア１０の長辺方向と平行に延設されている。導電路３２は、溝部底面１４ａの全区間を沿うように、導電路３１の溝部１４側の端部から屈曲してコア１０の短辺方向と平行に延設されている。導電路３３は、溝部底面１５ａの全区間を沿うように、導電路３１の溝部１５側の端部から屈曲してコア１０の短辺方向と平行に延設されている。
【００２２】
導電路３４は、コア１０の側面１０ｂにおいて溝部１４から側面１０ｄまでの区間を沿うように、導電路３２の側面１０ｂ側の端部から屈曲してコア１０の長辺方向と平行に延設されている。導電路３５は、コア１０の側面１０ｂにおける溝部１５から側面１０ｃまでの区間を沿うように、導電路３３の側面１０ｂ側の端部から屈曲してコア１０の長辺方向と平行に延設されている。導電路３６は、コア１０の側面１０ｄにおいて側面１０ｂから中央位置までの区間を沿うように、導電路３４の側面１０ｄ側の端部から屈曲してコア１０の短辺方向と平行に延設されている。
【００２３】
また、この平板状コイル３０は、導電路３５の端部（導電路３３に対して反対側の端部）からコア１０の短辺方向に屈曲して形成された端子部３７と、導電路３６の端部（導電路３４に対して反対側の端部）からコア１０の長辺方向に屈曲して形成された端子部３８とを有している。これら端子部３７、３８には、それぞれネジ止め固定を可能とする貫通孔３７ａ、３８ａが設けられている。このような平板状コイル３０を、絶縁ケース２０が装着されたコア１０に絶縁ケース２０の上から配置することで、図１（ｂ）に示すインダクタ１が得られる。
【００２４】
図２（ａ）は、上述した構成のインダクタ１を２つ使用し、絶縁ケース２０及び平板状コイル３０がそれぞれ付加された状態で、２つのコア１０をそれぞれの各磁脚頂上面１１ａ、１２ａ及び１３ａが向かい合って当接するように組み合わせた状態を示す斜視図である。なお、図２（ａ）では、２つのインダクタ１を区別するために、一方のインダクタ１及びその構成要素の符号に「Ａ」を付記し、他方のインダクタ１及びその構成要素の符号に「Ｂ」を付記している。また、以下の説明において、必ずしも両者を区別する必要がない場合には、符号に「Ａ」或いは「Ｂ」を付記しない場合がある。
【００２５】
図２（ａ）に示すように、同一構成の２つのインダクタ１Ａ、１Ｂを組み合わせることにより、２つの平板状コイル３０Ａ、３０Ｂの端子部３８Ａ、３８Ｂは、外磁脚１１側の側面１０ｄの中央位置で重なり合って接続し、２つの平板状コイル３０Ａ、３０Ｂの端子部３７Ａ、３７Ｂは、外磁脚１２側の側面１０ｃで離間する。言い換えれば、２つのインダクタ１Ａ、１Ｂを組み合わせた場合に、図２（ａ）に示す状態となるように、平板状コイル３０は加工形成されている。
【００２６】
また、図２（ａ）に示すように、２つのインダクタ１Ａ、１Ｂにおけるコア１０Ａ、１０Ｂが組み合わされることで、両者の外磁脚１１と内磁脚１３との間の溝部１４による空間Ｓ１が形成され、両者の外磁脚１２と内磁脚１３との間の溝部１５による空間Ｓ２が形成される。これらの空間Ｓ１、Ｓ２を利用して１次コイルを巻回することで、後述するような平板状コイル３０Ａ、３０Ｂを２次コイルとして使用するトランスを得ることが可能となる。
【００２７】
図２（ｂ）は、図２（ａ）のように組み合わされたインダクタ１Ａ、１Ｂ（以下、合成インダクタと称す）の等価回路図である。この図２（ｂ）に示すように、合成インダクタの等価回路は、コア１０Ａに巻回されて一端を端子部３７Ａ、他端を端子部３８Ａとする平板状コイル３０Ａと、コア１０Ｂに巻回されて一端を端子部３７Ｂ、他端を端子部３８Ｂとする平板状コイル３０Ｂとが直列接続された構成となる。つまり、平板状コイル３０Ａと３０Ｂの接続部分である端子部３８Ａ、３８Ｂは、平板状コイル３０Ａと３０Ｂをトランスの２次コイルとして使用した場合のセンタータップとして利用できる。
【００２８】
図３（ａ）は、図２（ａ）に示す合成インダクタを、さらにもう１組用意して隣り合うように配置した状態を示す斜視図である。なお、図３（ａ）では、追加したもう１組の合成インダクタを構成する一方のインダクタ１及びその構成要素の符号に「Ｃ」を付記し、他方のインダクタ１及びその構成要素の符号に「Ｄ」を付記している。
【００２９】
つまり、等価回路としては、図３（ｂ）に示すように、コア１０Ｃに巻回されて一端を端子部３７Ｃ、他端を端子部３８Ｃとする平板状コイル３０Ｃと、コア１０Ｄに巻回されて一端を端子部３７Ｄ、他端を端子部３８Ｄとする平板状コイル３０Ｄとが直列接続された部分が追加される。この場合、平板状コイル３０Ｃと３０Ｄの接続部分である端子部３８Ｃ、３８Ｄは、平板状コイル３０Ｃと３０Ｄをトランスの２次コイルとして使用した場合のセンタータップとして利用できる。
【００３０】
このように２つの合成インダクタを隣り合うように配置した構成において、２つの合成インダクタのそれぞれに形成される空間Ｓ１、Ｓ２を利用して１次コイルを巻回し、平板状コイル３０Ａ、３０Ｂ、３０Ｃ、３０Ｄをトランスの２次コイルとして使用すると、後述のような２次側が２系統に分割された分割型トランスを得ることができる。
【００３１】
〔トランス〕
続いて、本発明に係るトランスの一実施形態について説明する。図４（ａ）は、本実施形態におけるトランス１００の分解斜視図であり、図４（ｂ）は、組立て後におけるトランス１００の斜視図であり、図４（ｃ）は、トランス１００の等価回路図である。なお、本実施形態におけるトランス１００は、図３（ａ）に示した２組の合成インダクタのそれぞれに形成される空間Ｓ１、Ｓ２を利用して１次コイルを巻回し、平板状コイル３０Ａ、３０Ｂ、３０Ｃ、３０Ｄを２次コイルとして使用した分割型トランスである。
【００３２】
つまり、図４（ａ）に示すように、本実施形態におけるトランス１００は、コア１０Ａ、絶縁ケース２０Ａ及び平板状コイル（以下、２次コイルと称す）３０Ａからなるインダクタ１Ａと、コア１０Ｂ、絶縁ケース２０Ｂ及び２次コイル３０Ｂからなるインダクタ１Ｂと、コア１０Ｃ、絶縁ケース２０Ｃ及び２次コイル３０Ｃからなるインダクタ１Ｃと、コア１０Ｄ、絶縁ケース２０Ｄ及び２次コイル３０Ｄからなるインダクタ１Ｄと、環状に巻回形成された１次コイル４０とから構成されている。
【００３３】
１次コイル４０は、環状部４１と、該環状部４１の内側に形成された孔部４２と有しており、さらに、１次コイル４０の両端には１次側回路（スイッチング回路）と接続するための１次側接続端子Ｐ１１、Ｐ１２が接続されている。
【００３４】
このような１次コイル４０の孔部４２に対し、インダクタ１Ａにおけるコア１０Ａの内磁脚１３Ａを嵌め込む（同時にコア１０Ａの溝部１４Ａ、１５Ａに１次コイル４０の環状部４１が嵌め込まれる）一方、インダクタ１Ａと対向する側から、インダクタ１Ｂにおけるコア１０Ｂの内磁脚１３Ｂを嵌め込む（同時にコア１０Ｂの溝部１４Ｂ、１５Ｂに１次コイル４０の環状部４１が嵌め込まれる）ことで、インダクタ１Ａと１Ｂを１次コイル４０を挟んで組み合わせ、同様に、インダクタ１Ｃと１Ｄとを１次コイル４０を挟んで組み合わせることにより、図４（ｂ）に示すようなトランス１００が得られる。
【００３５】
なお、図４（ｂ）に示すように、２次コイル３０Ａ、３０Ｂ、３０Ｃ、３０Ｄの端子部３７Ａ、３７Ｂ、３７Ｃ、３７Ｄには、２次側回路（整流回路）と接続するための２次側接続端子Ｐ２１、Ｐ２２、Ｐ２３、Ｐ２４が接続されている。また、以下では、説明の便宜上、２次コイル３０Ａと３０Ｂの接続部分である端子部３８Ａ、３８ＢをセンタータップＣＴ１と称し、２次コイル３０Ｃと３０Ｄの接続部分である端子部３８Ｃ、３８ＤをセンタータップＣＴ２と称する（図４（ｂ）、（ｃ）参照）。
【００３６】
図４（ｃ）に示すように、トランス１００の等価回路は、図３（ｂ）に示した等価回路に、１次側接続端子Ｐ１１、Ｐ１２が両端に接続された１次コイル４０が追加され、２次側が２系統に分割された構成となる。つまり、１次側接続端子Ｐ１１、Ｐ１２を介して１次コイル４０に１次交流電圧を印加すると、１次コイル４０と２次コイル３０Ａ、３０Ｂ、３０Ｃ、３０Ｄのそれぞれの巻数比に応じた２次交流電圧が、２次側接続端子Ｐ２１とセンタータップＣＴ１の端子間、２次側接続端子Ｐ２２とセンタータップＣＴ１の端子間、２次側接続端子Ｐ２３とセンタータップＣＴ２の端子間、及び２次側接続端子Ｐ２４とセンタータップＣＴ２の端子間に発生することになる。
【００３７】
以上のような構成を採用した本実施形態におけるトランス１００によれば、上述した従来技術の課題を解決することが可能である。すなわち、本実施形態におけるトランス１００では、コア１０の側面１０ａ、１０ｂ及び溝部底面１４ａ、１５ａを沿うように２次コイル（平板状コイル）３０を配置することにより、コア側面において生じる漏れ磁束を低減でき、その結果、電圧変換効率の低下を抑制し、高性能化が容易となる。
【００３８】
また、本実施形態におけるトランス１００では、コア１０の側面１０ａ、１０ｂ及び溝部底面１４ａ、１５ａを沿うように平板状の２次コイル３０を配置することにより、従来技術のような環形状の２次コイルを使用する場合と比べて、トランス全体のサイズを小型化でき、部品点数も減るため、組み付け工数も削減できる。さらに、本実施形態におけるトランス１００では、１本の連続した平板配線部材の折り曲げ加工によって２次コイル３０を形成するため、環形状の２次コイルを使用する場合と比べて、２次コイル３０の製造工程において発生する端材を低減でき、コストの削減を図ることができる。
【００３９】
このように、本実施形態におけるインダクタ１を使用してトランス１００を構成することにより、高性能化、小型化及び低コスト化を実現したトランス１００を得ることが可能となる。
【００４０】
〔スイッチング電源〕
続いて、本発明に係るスイッチング電源の一実施形態について説明する。図５は、本実施形態におけるスイッチング電源４００の回路構成図である。この図５に示すように、本実施形態におけるスイッチング電源４００は、図４に示したトランス１００と、トランス１００の１次側に接続されたスイッチング回路２００と、トランス１００の２次側に接続された整流回路３００とから構成されている。
【００４１】
トランス１００は、図４（ｃ）と同様に、１次側接続端子Ｐ１１、Ｐ１２が両端に接続された１次コイル４０と、一端が２次側接続端子Ｐ２１に接続され、他端がセンタータップＣＴ１に接続された２次コイル３０Ａと、一端が２次側接続端子Ｐ２２に接続され、他端がセンタータップＣＴ１に接続された２次コイル３０Ｂと、一端が２次側接続端子Ｐ２３に接続され、他端がセンタータップＣＴ２に接続された２次コイル３０Ｃと、一端が２次側接続端子Ｐ２４に接続され、他端がセンタータップＣＴ２に接続された２次コイル３０Ｄとから構成されている。
【００４２】
スイッチング回路２００は、外部から入力される直流電圧を、スイッチング動作によって１次交流電圧に変換してトランス１００の１次側に出力する回路であり、直流電圧を入力するための正極入力端子２０１及び負極入力端子２０２と、４つのトランジスタ２０３、２０４、２０５、２０６と、４つのスナバダイオード２０７、２０８、２０９、２１０と、共振コイル２１１とから構成されている。
【００４３】
各トランジスタ２０３、２０４、２０５、２０６は、例えばｎ型の電界効果トランジスタ（ＦＥＴ：Field Effect Transister）である。トランジスタ２０３と２０５のドレイン端子は正極入力端子２０１と接続され、トランジスタ２０４と２０６のソース端子は負極入力端子２０２と接続されている。そして、トランジスタ２０３のソース端子とトランジスタ２０４のドレイン端子が接続され、トランジスタ２０５のソース端子とトランジスタ２０６のドレイン端子が接続されている。なお、トランジスタ２０６のドレイン端子（トランジスタ２０５のソース端子）は、トランス１００の１次側接続端子Ｐ１２と接続されている。
【００４４】
また、図５では図示を省略しているが、各トランジスタ２０３、２０４、２０５、２０６のゲート端子はＰＷＭ（Pulse Width Modulation）制御回路と接続されている。つまり、各トランジスタ２０３、２０４、２０５、２０６のオン／オフ動作（スイッチング動作）は、ＰＷＭ制御回路から各ゲート端子に入力されるＰＷＭ信号によって制御されている。
【００４５】
スナバダイオード２０７は、トランジスタ２０３のドレイン−ソース端子間に並列接続されている。スナバダイオード２０８は、トランジスタ２０４のドレイン−ソース端子間に並列接続されている。スナバダイオード２０９は、トランジスタ２０５のドレイン−ソース端子間に並列接続されている。スナバダイオード２１０は、トランジスタ２０６のドレイン−ソース端子間に並列接続されている。共振コイル２１１の一端はトランジスタ２０３のソース端子（トランジスタ２０４のドレイン端子）と接続され、他端はトランス１００の１次側接続端子Ｐ１１と接続されている。
【００４６】
一方、整流回路３００は、トランス１００から出力される２次交流電圧を、整流作用によって直流電圧に変換して外部に出力する回路であり、４つの整流ダイオード３０１、３０２、３０３、３０４と、２つの平滑コイル３０５、３０６と、３つの平滑コンデンサ３０７、３０８、３０９と、出力端子３１０とから構成されている。
【００４７】
整流ダイオード３０１のアノード端子はトランス１００の２次側接続端子Ｐ２１に接続され、カソード端子は平滑コイル３０５の一端と接続されている。整流ダイオード３０２のアノード端子はトランス１００の２次側接続端子Ｐ２２に接続され、カソード端子は平滑コイル３０５の一端と接続されている。整流ダイオード３０３のアノード端子はトランス１００の２次側接続端子Ｐ２３に接続され、カソード端子は平滑コイル３０６の一端と接続されている。整流ダイオード３０４のアノード端子はトランス１００の２次側接続端子Ｐ２４に接続され、カソード端子は平滑コイル３０６の一端と接続されている。
【００４８】
平滑コイル３０５の他端は、平滑コンデンサ３０７、３０９の一端及び出力端子３１０と接続されている。平滑コイル３０６の他端は、平滑コンデンサ３０８、３０９の一端及び出力端子３１０と接続されている。平滑コンデンサ３０７、３０８及び３０９の他端は共通のグランドラインに接続されており、その内、平滑コンデンサ３０７の他端はトランス１００のセンタータップＣＴ１にも接続され、平滑コンデンサ３０８の他端はトランス１００のセンタータップＣＴ２にも接続されている。つまり、トランス１００のセンタータップＣＴ１及びＣＴ２は、整流回路３００内において共通のグランドラインと接続されている。
【００４９】
このように、本実施形態におけるトランス１００をスイッチング電源４００のメイントランスとして利用する構成を採用することにより、高性能化、小型化及び低コスト化を実現したスイッチング電源４００を得ることが可能となる。
【００５０】
〔変形例〕
なお、本発明は上記実施形態に限定されず、以下のような変形例が挙げられる。
（１）上記実施形態では、図１に示したような形状を有する平板状コイル（２次コイル）３０を例示したが、この平板状コイル３０の形状は本発明の趣旨を逸脱しない範囲で適宜変更しても良い。つまり、平板状コイル３０は、少なくともコア１０の側面１０ａ、１０ｂと溝部底面１４ａ、１５ａを沿うような形状をしていれば良く、端子部３７、３８の有無や位置は特に限定されない。
【００５１】
（２）上記実施形態では、図４に示したように、トランス１００として合成インダクタ（インダクタ１が２つ組み合わされたもの）を２組使用する分散型トランスを例示して説明したが、本発明に係るトランスはこれに限定されず、合成インダクタを１組、或いは３組以上使用するトランスを構成しても良い。
【００５２】
（３）上記実施形態では、図５に示したような回路構成のスイッチング回路２００と整流回路３００を有するスイッチング電源４００を例示して説明したが、これらの回路構成はあくまで一例であり、スイッチング電源４００に要求される性能や仕様、或いはトランス１００の構成に応じて、スイッチング回路２００と整流回路３００の回路構成を適宜変更しても良い。
【符号の説明】
【００５３】
１…インダクタ、１０…コア、２０…絶縁ケース、３０…平板状コイル（２次コイル）、４０…１次コイル、１００…トランス、２００…スイッチング回路、３００…整流回路、４００…スイッチング電源
【図１】
2011181569.tif 000003
【図２】
2011181569.tif 000004
【図３】
2011181569.tif 000005
【図４】
2011181569.tif 000006
【図５】
2011181569.tif 000007